(57)【特許請求の範囲】
【請求項１】
噴出器本体１の先端にノズル２を設け、該ノズルには回動により各種噴出態勢と停止態勢とに開路・閉路切替えするノズルキャップ３を装着し、上記噴出器本体１の前部からトリガー４を前後動可能に垂設し、その噴出器本体１の内部に該トリガー４で作動される往復ポンプ５を内蔵し、該往復ポンプにトリガー４共々出方向に付勢する復帰ばねを備え、また、その噴出器本体１の外部に本体カバー６を被着して成り、液体を収容した容器体に装着してその液体の噴出を得るトリガー式液体噴出器において、停止態勢の上記ノズルキャップ３の下部から上記トリガー４の前面を覆うトリガーカバー７を上記ノズルキャップ３の回動に伴い一側にて起倒自在に垂設し、かつ、該トリガーカバー７の一側上部に係合片８を設け、該係合片と上記本体カバー６の一側前部との間にそのトリガーカバー７の下降態勢にて支持係合させる係脱自在な係合手段９を講じたことを特徴とするトリガー式液体噴出器。
【請求項２】
上記係合手段９として、上記トリガーカバー７の一側上部から後方へ係合片８を突設し、該係合片に係合窓10を、また、上記本体カバー６の一側前部に係合突部11を突設して、相互に離脱可能に嵌合させた請求項１記載のトリガー式液体噴出器。
【請求項３】
上記係合手段９として、上記トリガーカバー７の一側上部に形成した係合片８の内面下部に上向きの係合段部12を設け、該段部を上記本体カバー６の一側前部下縁13に離脱可能に支持係合させた請求項１記載のトリガー式液体噴出器。
【請求項４】
上記トリガーカバー７の前面から上記ノズルキャップ３の下面にかけて縦リブ14を設けた請求項１、請求項２又は請求項３記載のトリガー式液体噴出器。
【発明の詳細な説明】
【０００１】
【発明の属する技術分野】
本発明は、トリガー式液体噴出器に関するものである。
【０００２】
【従来の技術】
液体を噴霧、噴射、噴泡等させる合成樹脂製のトリガー式液体噴出器は既に周知である。
このトリガー式液体噴出器は、通常、側面形状逆Ｌ字状の噴出器本体を設け、該噴出器本体の先端にノズルを設け、該ノズルには回動により噴霧、噴射、噴泡等と停止（閉路）を切替え得るノズルキャップを装着し、また、噴出器本体の前部からトリガーを前後動可能に垂設し、噴出器本体の内部に該トリガーで作動される往復ポンプを内蔵するとともに、該往復ポンプにトリガー共々出方向に付勢する復帰ばねを備え、噴出器本体の外部にカバーを被着し、噴出器本体の下端に容器体の口頸部へと取り付ける装着筒とその容器体内へと挿入させる吸上パイプとを有して成る。
而して、上記装着筒により液体を収容した容器体の口頸部に取り付けし、ノズルキャップを噴霧、噴射、噴泡等の所要噴出態勢に回動した後、トリガーを操作して往復ポンプを作動させることにより、容器体内の液体を吸い上げてはノズルから噴霧、噴射、噴泡等、適宜に噴出させる。
【０００３】
【発明が解決しようとする課題】
しかし、ノズルキャップを停止位置にして、ノズルを閉じた状態にしただけでは、次のような問題がある。
▲１▼  既に使用が開始されているものであっても、ポンプ内には液体だけでなく構造上から不可避的に残留するわずかな空気も存在するため、ノズルを閉じたままトリガーが操作されると、その残留空気が圧縮されることで更に液体が吸い上げられ、ポンプ内には相応の圧力で液体が蓄圧貯留されることとなる。したがって、この状態でノズルキャップを所要噴出態勢に回動させると、ノズルが
開路した途端に、ポンプ内の蓄圧貯留液体がノズルから不意に噴出する。
▲２▼  近年、一般家庭でも、かび落し等の洗浄剤がこの種トリガー式液体噴出器を利用して使用されるようになってきているが、このような洗浄剤が上述のようにして不意に噴出すると、甚だ危険である。
▲３▼  うっかりノズルキャップを所要噴出態勢に回動させるのを忘れてトリガーを操作した場合、故障と勘違いすることがある。また、これが頻繁に繰り返され
ると故障の原因にもなりかねない。
【０００４】
そこで、本発明は、ノズルを閉路させた停止態勢において、トリガーの誤った又は不用意の操作を未然に防止して、それらの問題点を解決しようとするものであり、また、その構造を簡潔にしようとするものである。
【０００５】
【課題を解決するための手段】
上記目的達成のため、請求項１の発明は、噴出器本体１の先端にノズル２を設け、該ノズルには回動により各種噴出態勢と停止態勢とに開路・閉路切替えするノズルキャップ３を装着し、上記噴出器本体１の前部からトリガー４を前後動可能に垂設し、その噴出器本体１の内部に該トリガー４で作動される往復ポンプ５を内蔵し、該往復ポンプにトリガー４共々出方向に付勢する復帰ばねを備え、また、その噴出器本体１の外部に本体カバー６を被着して成り、液体を収容した容器体に装着してその液体の噴出を得るトリガー式液体噴出器において、停止態勢の上記ノズルキャップ３の下部から上記トリガー４の前面を覆うトリガーカバー７を上記ノズルキャップ３の回動に伴い一側にて起倒自在に垂設し、かつ、該トリガーカバー７の一側上部に係合片８を設け、該係合片と上記本体カバー６の一側前部との間にそのトリガーカバー７の下降態勢にて支持係合させる係脱自在な係合手段９を講じたことを特徴とする。
【０００６】
請求項２の発明は、請求項１のトリガー式液体噴出器にあって、上記係合手段９として、上記トリガーカバー７の一側上部から後方へ係合片８を突設し、該係合片８と上記本体カバー６の一側前部とに相互に嵌合させる係合窓10と係合突部11とを設けて、着脱自在に嵌合させて成る。
【０００７】
請求項３の発明は、請求項１のトリガー式液体噴出器にあって、上記係合手段９として、上記トリガーカバー７の一側上部に形成した係合片８の内面下部に上向きの係合段部12を設け、該段部を上記本体カバー６の一側前部下縁13に離脱可能に支持係合させて成る。
【０００８】
請求項４の発明は、請求項１、請求項２又は請求項３のトリガー式液体噴出器にあって、上記トリガーカバー７の前面から上記ノズルキャップ３の下面にかけて縦リブ14を設けて成る。
【０００９】
【発明の実施の形態】
その1.
図１乃至図５は、請求項１、請求項２、請求項４の発明についての実施の形態その1.を示している。
図示のトリガー式液体噴出器は、逆Ｌ字状の噴出器本体１の先端に前方に面するノズル２を設け、該ノズルには垂直回動により噴霧、噴射、噴泡等の各種噴出態勢（液流路開放）と停止態勢（液流路閉塞）とに切替えるノズルキャップ３を回動自在に装着し、また、噴出器本体１の前部からトリガー４を前後揺動可能に垂設し、噴出器本体１の内部に該トリガー４で作動される往復ポンプ５を内蔵するとともに、該往復ポンプにトリガー４共々出方向に付勢する復帰ばねを備え、更に、噴出器本体１の外部に本体カバー６を被着し、噴出器本体１の下端に容器体の口頸部へと取り付ける装着筒15とその容器体内へと挿入させる吸上パイプ16とを有している。なお、このトリガー式液体噴出器は、全ての部材乃至大半の部材を合成樹脂製とするものである。
【００１０】
このトリガー式液体噴出器には、停止態勢のノズルキャップ３の下部から上記トリガー４の前面を覆うトリガーカバー７を垂設しており、該トリガーカバー７は、上記ノズルキャップ３の回動に伴い一側にて起倒させ得るよう他側を開放させている。
また、下降してトリガー４を覆った状態のトリガーカバー７の一側上部に係合片８を設けており、該係合片８は、そのトリガーカバー７の一側上部から本体カバー６の一側前部に沿わせて後方へと突設し、該係合片とその本体カバー６の一側前部との間には、トリガーカバー７の下降態勢にて支持係合させる着脱自在な係合手段９を講じており、該係合手段９は、その係合片８とその本体カバー６の一側前部とに相互に嵌合させる側面形状眉形状の係合窓10と係合突部11とを設けて、着脱自在に嵌合させている。なお、係合窓10は係合片８に、係合突部11は本体カバー６に設ければよいが、逆であってもよい。
更に、トリガーカバー７の前面からノズルキャップ３の下面にかけて縦リブ14を設けており、該縦リブ14は、トリガーカバー７の前面とノズルキャップ３の下面との間の入隅部分を前方へ大きく彎曲膨出させることで形成している。
【００１１】
如上の構成であるから、装着筒15によって液体を収容した容器体の口頸部へと取り付け、吸上パイプ16をその容器体内へ深く挿入させる。
而して、ノズルキャップ３を停止態勢（液流路閉塞）に回動させたときは（図１、図３、図５）、トリガーカバー７が下降状態となってトリガー４を覆い、トリガー４の操作を不能にする。したがって、往復ポンプ５は全く働かない状態となり、往復ポンプ５内に液体が吸い上げられることもなければ、蓄圧貯留されることもない。
また、この際には、前方へ大きく彎曲膨出したトリガーカバー７の縦リブ14が該トリガーカバーを補強するだけでなく、該トリガーカバー７を引き難くして、トリガーカバー７の誤引等を触覚的に防止する。
万一トリガーカバー７が誤引されても、トリガーカバー７の縦リブ14が該トリガーカバーの損傷を防止するとともに、係合手段９において、眉形状の係合窓10と係合突部11とが嵌合してトリガーカバー７を支持し、トリガーカバー７に加わる力を本体カバー６へと逃がしてノズルキャップ３に至る力を極力少なくし、誤引によるノズルキャップ３等の損傷を防止する。
【００１２】
次に、ノズルキャップ３を噴出態勢（液流路開放）に回動させたときは、係合手段９において、係合窓10と係合突部11との嵌合が離脱し、かつ、トリガーカバー７が上昇回動して（図２）、トリガー４を自由に引くことができる状態となる。したがって、この状態でトリガー４を引き、放しすることにより、往復ポンプ５が働かせることができて、容器体内の液体を吸い上げてはノズル２から噴出させることができる。
なお、トリガーカバー７は、ノズルキャップ３を回動させる際の操作用レバーに兼用することができる。
【００１３】
その2.
図６乃至図１０は、請求項１、請求項３、請求項４の発明についての実施の形態その2.を示している。
この場合は、上述の実施の形態その1.のものにおいて、上記係合手段９と上記縦リブ14とにおいてその形態を異にする。
すなわち、係合手段９として、上記トリガーカバー７の一側上部に形成した係合片８の内面下部に上向きの係合段部12を設け、該段部を上記本体カバー６の一側前部下縁13に離脱可能に支持係合させており、上記縦リブ14を上記トリガーカバー７の前面から上記ノズルキャップ３の下面にかけて垂直板を設けることで形成している。
その他の構造は上述の実施の形態その1.の場合と同じであり、また、全体としての機能、動作、作用等も、係合手段９と縦リブ14との形態の相異に基づく強弱程度の差はあるものの、上述の実施の形態その1.とほとんど同じである。
【００１４】
【発明の効果】
請求項１、請求項２、請求項３、請求項４の各発明によれば、既述構成であるから、次の効果を奏する。
▲１▼  ノズルキャップ３の回動によりノズル２を閉路させたときは、トリガーカバー７も下降してトリガー４を覆うので、トリガー４の操作を不能にすることができて、往復ポンプ５の作動を阻止でき、ポンプ内に過分に液体が吸い上げられて蓄圧貯留されることはない。したがって、ノズルキャップ３を所要噴出態勢に回動させても、ノズル２が開路した途端にポンプ内の蓄圧貯留液体がノズ
ルから不意に噴出するようなことはない。
▲２▼  かび落し等の洗浄剤が収容された場合でも、その洗浄剤が上述のようにして
不意に噴出する危険はなく、一般家庭でも安心して使用できる。
▲３▼  ノズルキャップ３を所要噴出態勢に回動させるのを忘れたときには、トリガー４を操作することができないから、トリガー４の誤った又は不用意の操作を未然に防止でき、故障と勘違いすることもない。また、停止態勢のまま無理な操作が頻繁に繰り返されて、これが故障の原因となることもない。しかも、トリガーカバー７がトリガー４を覆うことで、トリガー４を操作できないことを
目視にて確認できる。
▲４▼  停止態勢のノズルキャップ３の下部からトリガー４の前面を覆うトリガーカバー７をノズルキャップ３の回動に伴い一側にて起倒自在に垂設しているので、トリガーカバー７をノズルキャップ３の回動用レバーとして兼用でき、ノズ
ルキャップ３を軽快に回動操作することができる。
▲５▼  トリガーカバー７の一側上部に係合片８を設け、該係合片と本体カバー６の一側前部との間に、トリガーカバー７の下降態勢にて支持係合させる着脱自在な係合手段９を講じているので、万一トリガーカバー７が誤引されても、トリガーカバー７に加わる力を本体カバー６へと逃がすことができて、ノズルキャップ３に至る力を極力少なくでき、ノズルキャップ３の損傷を防止することが
できる。
▲６▼  特に、請求項２の発明では、係合手段９として、トリガーカバー７の一側上部から後方へ係合片８を突設し、該係合片８と本体カバー６の一側前部とに相互に嵌合させる係合窓10と係合突部11とを設けて、着脱自在に嵌合させており、また、請求項３の発明では、係合手段９として、トリガーカバー７の一側上部に形成した係合片８の内面下部に上向きの係合段部12を設け、該段部を本体カバー６の一側前部下縁13に離脱可能に支持係合させているので、簡潔な構造で、強力に係合させることができ、しかも、容易に製作できて、安価に提供で
きる。
▲７▼  特に、請求項４の発明では、トリガーカバー７の前面からノズルキャップ３の下面にかけて縦リブ14を設けているので、トリガーカバーを補強するだけでなく、該トリガーカバー７を引き難くできて、トリガーカバー７の誤引等を触覚的に防止することができる。
【図面の簡単な説明】
【図１】  請求項１、請求項２、請求項４の発明に係る実施の形態その1.を示す停止態勢の斜視図である。
【図２】  同噴出態勢の斜視図である。
【図３】  同停止態勢の側面図である。
【図４】  同停止態勢の要部の正面図である。
【図５】  同停止態勢の截断側面図である。
【図６】  請求項１、請求項３、請求項４の発明に係る実施の形態その2.を示す停止態勢の斜視図である。
【図７】  同噴出態勢の斜視図である。
【図８】  同停止態勢の側面図である。
【図９】  同停止態勢の要部の正面図である。
【図１０】同停止態勢の截断側面図である。
【符号の説明】
１…噴出器本体                  ２…ノズル
３…ノズルキャップ              ４…トリガー
５…往復ポンプ                  ６…本体カバー
７…トリガーカバー              ８…係合片
９…係合手段                    10…係合窓
11…係合突部                    12…係合段部
13…下縁                        14…縦リブ
15…装着筒                      16…吸上パイプ
【図１】
0003732343.tif 000002
【図２】
0003732343.tif 000003
【図３】
0003732343.tif 000004
【図４】
0003732343.tif 000005
【図５】
0003732343.tif 000006
【図６】
0003732343.tif 000007
【図７】
0003732343.tif 000008
【図８】
0003732343.tif 000009
【図９】
0003732343.tif 000010
【図１０】
0003732343.tif 000011